(57)【要約】  【課題】停電等により冷蔵庫への電源供給が停止し、電源供給が復帰した場合、除霜までの時間をカウントするタイマが０から再カウントされるため、除霜までの時間が長引いてしまい、冷却器に多量の霜が付着し、ひいては除霜時間が長くなり庫内温度が上昇あいてしまうことを防ぐことを目的とする。  【解決手段】除霜までの時間をカウントするタイマとタイマが各外気温度別に設定時間経過したかどうかを判定する除霜制御手段７と不揮発性メモリ２を備え、タイマの値と除霜までの設定時間を不揮発性メモリ２に記憶し、停電等により冷蔵庫への電源供給が停止し、電源供給が復帰した場合不揮発性メモリ２に記憶した徐霜制御用データにて運転再開し、適切な状態で徐霜制御することができる。【選択図】図１
2007292332.tif 000002
【特許請求の範囲】
【請求項１】
除霜までの時間をカウントするタイマを有する制御手段とタイマが設定時間経過したかどうかを判定する除霜制御手段と不揮発性メモリを備え、タイマの値と除霜までの設定時間を不揮発性メモリに記憶することを特徴とする冷蔵庫の制御装置。
【請求項２】
停電等により冷蔵庫への電源供給が停止し、電源供給が復帰した場合、電源供給が停止する前の不揮発性メモリに記憶した除霜までのタイマ時間カウント値と除霜開始判定時間にて運転を再開する制御手段を備えた請求項１に記載の冷蔵庫の制御装置。
【請求項３】
停電等により冷蔵庫への電源供給が停止し、電源供給が復帰した場合、庫内温度が設定温度以下の時のみに電源供給が停止する前の不揮発性メモリに記憶した除霜までのタイマ時間カウント値と除霜開始判定時間にて運転を再開する制御手段を備えた請求項１に記載の冷蔵庫の制御装置。
【請求項４】
停電等により冷蔵庫への電源供給が停止し、電源供給が復帰した場合、電源供給が停止する前の不揮発性メモリに記憶した除霜までのタイマ時間カウント値と除霜開始判定時間データが正常な範囲を超えている場合は通常電源投入時設定にて運転を再開する制御手段を備えた請求項１から請求項３のいずれか一項に記載の冷蔵庫の制御装置。
【請求項５】
停電等により冷蔵庫への電源供給が停止し、電源供給が復帰した場合、電源供給が停止する前の不揮発性メモリに記憶した除霜までのタイマ時間カウント値と除霜開始判定時間データを読込む時に不揮発性メモリの異常等により記憶データを読込めなかった時に通常電源投入時設定にて運転を再開する制御手段を備えた請求項１から請求項４のいずれか一項に記載の冷蔵庫の制御装置。
【発明の詳細な説明】
【技術分野】
【０００１】
本発明は、冷蔵庫の除霜制御装置を備えた冷蔵庫に関するものである。
【背景技術】
【０００２】
従来、除霜の制御装置としては、圧縮機の運転時間を積算し設定時間以上で徐霜を開始するものがある（例えば、特許文献１参照）。
【０００３】
以下、図面を参照しながら上記従来の冷蔵庫の制御装置を説明する。
【０００４】
図３は、従来の制御装置のブロック図を示している。図３に示すように従来の制御装置では圧縮機１１５の運転時間を積算し、設定時間が経過したかを制御手段１１３で判定し、設定時間経過した場合、除霜ヒータ１１６を通電し、除霜を開始するというものであった。
【特許文献１】特開昭６２−２２５８７９号公報
【発明の開示】
【発明が解決しようとする課題】
【０００５】
しかしながら、上記従来の構成では、停電等により冷蔵庫への電源供給が一時的に停止し、電源供給が復帰した場合、除霜までの時間をカウントするタイマが０から再カウントされるため、除霜までの時間が長引いてしまい、冷却器に多量の霜が付着し、ひいては除霜時間が長くなり庫内温度が上昇するという課題を有していた。
【０００６】
本発明は従来の課題を解決するもので、停電等により冷蔵庫への電源供給が一時的に停止し、電源供給が復帰した場合でも、適切な状態で徐霜制御する冷蔵庫の制御装置を提供することを目的とする。
【課題を解決するための手段】
【０００７】
上記従来の課題を解決するために、本発明の冷蔵庫の制御装置は、除霜までの時間をカウントするタイマとタイマが設定時間経過したかどうかを判定する除霜制御手段と不揮発性メモリを備え、タイマの値と除霜までの開始判定時間を不揮発性メモリに記憶し、停電等により冷蔵庫への電源供給が停止し、電源供給が復帰した場合不揮発性メモリに記憶した徐霜制御用データ（タイマの値と除霜までの開始判定時間）にて運転再開するように構成したものである。
【発明の効果】
【０００８】
本発明の冷蔵庫の制御装置は、除霜までの時間をカウントするタイマとタイマが除霜開始判定時間経過したかどうかを判定する除霜制御手段と不揮発性メモリを備え、タイマの値と除霜開始判定時間を不揮発性メモリに記憶し、停電等により冷蔵庫への電源供給が停止し、電源供給が復帰した場合不揮発性メモリに記憶した除霜までの時間をカウントするタイマの値と除霜開始判定時間にて運転再開し、適切な状態で徐霜制御することができる。
【発明を実施するための最良の形態】
【０００９】
請求項１に記載の発明は、除霜までの時間をカウントするタイマとタイマが設定時間経過したかどうかを判定する除霜制御手段と不揮発性メモリを備え、タイマの値と除霜開始判定時間を不揮発性メモリに記憶するものであり、電源供給が復帰した場合、不揮発性メモリに停電前の情報を記憶することで、運転再開後、適切な状態で徐霜制御することができる。
【００１０】
また、請求項２に記載の発明は、請求項１に記載の発明において、停電等により冷蔵庫への電源供給が停止し、電源供給が復帰した場合、電源供給が停止する前の不揮発性メモリに記憶した除霜までのタイマ時間カウント値と除霜開始判定時間にて運転を再開するものであり、停電があった場合でも、適切な除霜制御を行なうことができる。
【００１１】
また、請求項３に記載の発明は、請求項１に記載の発明において、停電等により冷蔵庫への電源供給が停止し、電源供給が復帰した場合、庫内温度が設定温度以下の時のみに電源供給が停止する前の不揮発性メモリに記憶した除霜までのタイマ時間カウント値と除霜開始判定時間にて運転を再開するものであり、停電等により冷蔵庫への電源供給が停止し、電源供給が復帰した場合の庫内温度から適切な除霜制御の再開が可能となり、さらに停電時の除霜制御信頼性が向上する。
【００１２】
また、請求項４に記載の発明は、請求項１から請求項３のいずれか一項に記載の発明において、停電等により冷蔵庫への電源供給が停止し、電源供給が復帰した場合、電源供給が停止する前の不揮発性メモリに記憶した除霜までのタイマ時間カウント値と除霜開始判定時間データが正常な範囲を超えている場合は通常電源投入時設定にて運転を再開するものであり、不用意に徐霜開始時間が延長されるのを防ぐことができる。
【００１３】
また、請求項５に記載の発明は、請求項１から請求項４のいずれか一項に記載の発明において、停電等により冷蔵庫への電源供給が停止し、電源供給が復帰した場合、電源供給が停止する前の不揮発性メモリに記憶した除霜までのタイマ時間カウント値と除霜開始判定時間データを読込む時に不揮発性メモリの異常等により記憶データを読込めなかった時に通常電源投入時設定にて運転を再開するものであり、不揮発性メモリが異常な状態になっても徐霜制御を行うことができる。
【００１４】
以下本発明の実施の形態について、図面を参照しながら説明する。なお、従来と同一構成については同一符号を付して詳細な説明を省略する。
【００１５】
（実施の形態１）
図１は、本発明の実施の形態１における冷蔵庫の制御装置のブロック図であり、図２は動作を示すフローチャートである。以下図１から図２を参照しながら説明する。
【００１６】
図１において、制御手段１は除霜までの時間をカウントするタイマを有しタイマの値と除霜開始判定する時間データを不揮発性メモリ２に記憶する。なお不揮発性メモリはフラッシュメモリやＥＥＰＲＯＭ等として知られるものである。庫内温度検出手段３は冷蔵庫庫内の温度を検出する手段である。外気温度判定手段４は外気温度を検出するものであり、制御手段１は外気温度により徐霜を開始する時間を設定する。
【００１７】
圧縮機制御手段５は庫内温度検出手段３により検出した庫内温度が設定温度以上の場合は圧縮機６を運転し、庫内温度が設定温度以下の場合は圧縮機６を停止させる。
【００１８】
徐霜制御手段７は徐霜までの時間をカウントするタイマ値が徐霜開始時間以上の時に徐霜ヒータ８を通電させ、冷却器（図示せず）に着いた霜を溶かす。
【００１９】
以上のように構成された冷蔵庫の制御装置において、図２を参照しながら動作説明を行う。まず、ステップ１００で除霜までの時間をカウントするタイマの値と除霜を開始する時間データを制御手段１は不揮発性メモリ２に記憶させる。以上のように、徐霜制御用データが変更更新された場合に不揮発性メモリに書込みを行い、停電等により冷蔵庫への電源供給が停止しても徐霜制御用データを記憶することができる。
【００２０】
次に電源投入時にステップ２００で不揮発性メモリ２に記憶した徐霜制御用データを読込む。次にステップ２０１で電源供給が停止する前の不揮発性メモリ２に記憶した除霜までのタイマ時間カウント値と除霜開始設定時間にて運転を再開するように設定し、ステップ２０２で徐霜までのタイマ時間カウント値が除霜開始設定時間以上になった場合ステップ２０３で徐霜制御手段７は徐霜ヒータ８を通電させ、冷却器に着いた霜を溶かす。次にステップ２０４で徐霜終了の判定を行い、終了時にステップ２０５で次回徐霜開始時間を外気温度検出手段４で検出した外気温度別に設定し、徐霜までの時間をカウントするタイマをクリアし、ステップ１００にて更新された徐霜制御用データを不揮発性メモリ２に記憶する。
【００２１】
以上のように、停電等により冷蔵庫への電源供給が停止し、電源供給が再度復帰した場合に徐霜までの時間をカウントするタイマが０から再カウントするのを防ぎ、電源供給が停止する前の不揮発性メモリに記憶した除霜までのタイマ時間カウント値と除霜開始判定時間にて運転を再開するため除霜までの時間が長引いてしまい、冷却器に多量の霜が付着してしまうのを防ぐことができる。
【００２２】
また、ステップ３００で電源投入時に庫内温度検出手段３により検出された冷蔵庫の庫内温度が低い場合はステップ２０１にて一時的に電源供給が停止したと判定し、電源供給が停止する前の不揮発性メモリ２に記憶した除霜までのタイマ時間カウント値と除霜開始設定時間にて運転を再開し、庫内温度が高い場合はステップ３０１で徐霜までの時間をカウントするタイマを０からとし、各外気温度別に設定した除霜開始判定時間を設定し、電源供給が停止する前の記憶データは使用しないようにする。
【００２３】
以上のように、庫内温度が設定温度以下の時のみ一時的に電源供給が停止した場合と判定し、電源供給が停止する前の不揮発性メモリに記憶した除霜までのタイマ時間カウント値と除霜開始判定時間にて運転を再開し、適切な状態で徐霜制御することができる。
【００２４】
また、ステップ２００で読込んだ記憶データが正常な範囲かどうかを制御手段１はステップ４００で判定する。正常な範囲かどうかの判定とは、例えば除霜開始判定時間が０時間の記憶データである場合や、通常の徐霜開始時間が１３時間設定とすると、１４時間以上の記憶データである場合等である。正常な範囲でない場合はステップ３０１で徐霜までの時間をカウントするタイマを０からとし、各外気温度別に設定した除霜開始判定時間を設定し、読込んだ記憶データは使用しないようにする。
【００２５】
以上のように、読込んだ記憶データが正常な範囲かどうかを判定し正常な場合のみ、電源供給が停止する前の不揮発性メモリに記憶した除霜までのタイマ時間カウント値と除霜開始判定時間にて運転を再開し、読込みデータが異常な状態の時に不用意に徐霜開始時間が延長されたり、即除霜が開始されるのを防ぐことができる。
【００２６】
また、ステップ５００で電源投入時に不揮発性メモリ２と制御手段１との間の読込みが不揮発性メモリの異常やデータ破壊等の要因で読込めなかった場合は、ステップ３０１で徐霜までの時間をカウントするタイマを０からとし、各外気温度別に設定した除霜開始判定時間を設定する。
【００２７】
以上のように、不揮発性メモリが異常な状態等になって徐霜制御用記憶データが読込めなかった場合でも通常設定にて徐霜制御を行うことができる。
【産業上の利用可能性】
【００２８】
以上のように本発明にかかる冷蔵庫の制御装置は、電源供給が停止する前の不揮発性メモリに記憶した除霜までの時間をカウントするタイマの値と除霜開始判定時間にて電源供給が復帰した場合運転再開することで適切な状態で徐霜制御することができるので徐霜制御を備えた機器全般に適用できる。
【図面の簡単な説明】
【００２９】
【図１】本発明の実施の形態１における冷蔵庫の制御装置のブロック図
【図２】本発明の実施の形態１における冷蔵庫の制御装置のフローチャート
【図３】従来の冷蔵庫のブロック図
【符号の説明】
【００３０】
１  制御手段
２  不揮発性メモリ
７  徐霜制御手段
【図１】
2007292332.tif 000003
【図２】
2007292332.tif 000004
【図３】
2007292332.tif 000005